(57)【要約】装置が、受領されたエンコードされたコンテンツからメディア・コンテンツを複製することを可能にするコントローラ（８２）と、該コントローラに反応する記録器（９４）であって、該記録器以外の装置によって読み取り可能なメディア（７２）にコンテンツを記録する記録器とを含んでいる。
2009512114.tif 000002
【特許請求の範囲】
【請求項１】
エンコードされたメディア・コンテンツの複製を可能にするコントローラと；
前記コントローラに反応する記録器であって、該記録器以外の装置によって読み取り可能なメディアにコンテンツを記録する記録器とを有する、
装置。
【請求項２】
前記コントローラは家庭内コンピュータ装置およびセットトップボックスのうちの一方を含む、請求項１記載の装置。
【請求項３】
前記部分エンコードされたコンテンツ内に透かしを埋め込む透かし機能をさらに有する、請求項１記載の装置。
【請求項４】
前記メディア上へのメディア・コンテンツの記録の際の修正のために選択された諸セクタを同定するよう構成されているシリアル番号付けをさらに含む、請求項１記載の装置。
【請求項５】
小売者や消費者がCSS鍵へのアクセスをもつ必要なしに、前記コンテンツのデータ・ストリームをエンコードするのに先立ってCSS暗号化を提供するコンテンツ・スクランブリング・システム（CSS）のコピー・プロテクト暗号化装置をさらに有する、請求項１記載の装置。
【請求項６】
前記メディア記録器がネットワークに接続されている、請求項１記載の装置。
【請求項７】
前記コントローラが、前記エンコードされたコンテンツを、前記メディア記録器の複数の書き込みヘッドに並列に、シリアル・ストリーミングすることによって送る、請求項１記載の装置。
【請求項８】
保護されたコンテンツを複製する方法であって：
エンコードされたコンテンツのデータ・ストリームを受領する段階と；
選択されたコンテンツをもつ読み取り専用メディアを作成するために選択およびメディアを提供する段階と；
前記エンコードされたコンテンツを、前記メディアに、該メディアが読み取り可能となるように記録する段階とを有する、
方法。  
【請求項９】
受領される前記エンコードされたコンテンツのデータ・ストリームが、8-to-16変調、8-to-12変調および1-to-7パリティ保存変調のうちの一つによって変調済みである、請求項８記載の方法。
【請求項１０】
前記エンコードされるコンテンツのデータ・ストリームが、タグ付け情報に従って透かしを埋め込まれている、請求項８記載の方法。
【請求項１１】
受領される前記エンコードされたコンテンツがコンテンツ・スクランブリング・システム（CSS）のコピー・プロテクト暗号化を用いて暗号化済みであり、前記記録する段階の間にCSS鍵が必要ない、請求項８記載の方法。
【請求項１２】
前記記録する段階が、前記エンコードされたコンテンツのデータ・ストリームを、メディア・バーナーの複数の書き込みヘッドに並列に、シリアル・ストリーミングする段階を含む、請求項８記載の方法。
【請求項１３】
ブランク・メディアを提供する前記段階が、DVDメディアを提供することを含む、請求項８記載の方法。
【請求項１４】
前記記録する段階が、前記メディア上へのコンテンツの記録の際の修正のために前記メディア上で選択された諸セクタを同定するためにシリアル番号付けを含む、請求項８記載の方法。
【請求項１５】
選択された諸セクタが、前記メディア上でのデータ遷移のタイミングをずらすことによってデータ内容を選択的に変えることによって修正されて、前記メディア上に種々のデータ・パターンが与えられる、請求項１４記載の方法。
【請求項１６】
前記選択された諸セクタが、前記メディアの記録の際に、所望のデータ・パターンで置き換えられる、請求項１４記載の方法。
【請求項１７】
保護されたコンテンツを複製する装置であって：
メディア記録器を含んでおり、該メディア記録器は、受領されたエンコードされたコンテンツを、該メディア記録器以外の装置によって読み取り可能なメディア上に記録するものであり、前記エンコードされたコンテンツが前記記録器によって受領されるのは、コンテンツ・スクランブリング・システム（CSS）のコピー・プロテクト暗号化および先進アクセス・コンテンツ・システム（AACS）のコピー・プロテクトのうちの一方をされてであり、それにより小売者や消費者が暗号鍵へのアクセスをもつ必要なしに、前記エンコードされたコンテンツのデータ・ストリームにコピー・プロテクト暗号化を提供する、装置。
【発明の詳細な説明】
【技術分野】
【０００１】
〈関係する出願への相互参照〉
本願は2006年4月12日に出願されたDVD  Replication  System  and  Methodとの名称のPCT出願PCT/US2006/013732の優先権を主張するものである。該PCT出願は2005年10月11日に出願されたIn-store/in-home  DVD  Replication  (a.k.a.    Downloadable  DVD)との名称の米国仮特許出願第60/725,614号の優先権を主張する。両文献はここに参照によってその全体において組み込まれる。
【０００２】
〈発明の分野〉
本発明は、概括的にはビデオ記録装置に、より詳細にはビデオ・コンテンツの家庭内、店舗内および工場での複製のためにセキュリティ保護された仕方でオーディオまたはビデオ・コンテンツをダウンロードする方法であって、読み取り専用メモリ記憶装置およびメディアにおいて使用されるセキュリティ特徴を含むものに関する。
【背景技術】
【０００３】
映画および小売産業は、ローカル・サーバーに保存されているか中央保存サーバーから高速プライベート・ネットワークを通じて配送されるDVDビデオ・コンテンツからオンデマンドでDVDビデオのディスクを製造する安全な方法を求めている。これは、小売またはオンラインの店舗環境では通常、簡単に在庫できないディープな映画カタログからの何千ものDVDビデオのタイトルを利用可能にすることを許容する。家庭内ソリューションは、スタジオが、配送され、DVDに記録されるコンテンツを安全な仕方で販売することを許容する。
【０００４】
コンテンツ・スクランブリング・システムCSSが力を失ったとはいえ、スタジオ顧客は、デジタル・ミレニアム著作権法（DMCA）を通じて映画コンテンツの不正コピーの告発を実施できるよう、CSSを含めることを要求する。
【０００５】
さらに、CSSライセンシング・オーソリティ（CSS  Licensing  Authority）によって提供されるCSS鍵はライセンスを受けたDVDディスク複製者、DVDドライブ・メーカーおよびDVDオーサリング／圧縮の施設（facilities）、コンテンツ・プロバイダーおよび生産ツール供給者にのみ提供されることができる。小売の施設、コンテンツ・プロバイダーおよび消費者は、DVD  CCA（Copy  Control  Association［コンピー・コントロール協会］）によって提供されるCSS鍵へのアクセスをもつことを禁じられている。
【発明の開示】
【発明が解決しようとする課題】
【０００６】
記録可能なDVDメディアに記録されるビデオ・コンテンツに対するCSSコピー・プロテクトを含められるようにする種々の手法が提案されている。これらの手法は、小売者および記録ハードウェアがCSSのディスク鍵およびタイトル鍵を直接またはネットワークを通じた受領を通じて扱い、記録可能メディアがCSSディスク鍵を独自の記録可能DVDディスク・メディアに安全に埋めまれるようにすることを要求する。これはCSS規格およびライセンス合意への修正を要求し、DVDコピー・コントロール協会（CCA）のコピー・プロテクト諮問委員会（CPAC:  Copy  Protection  Advisory  Council）に提案され、承認されなければならない。この委員会は権利保有者、消費者電子製品会社およびコンピュータ・メーカーからなる。そのような変更を承認させることは困難で、きわめてありそうもない。これらの他の手法はまた、複雑／高価なハードウェア／ソフトウェア・アプリケーションをも要求する。
【課題を解決するための手段】
【０００７】
装置が、受領されたエンコードされたコンテンツからメディア・コンテンツを複製することを可能にするコントローラと、該コントローラに反応する記録器であって、該記録器以外の装置によって読み取り可能なメディアにコンテンツを記録する記録器とを含んでいる。
【０００８】
保護されたコンテンツを複製する方法が、エンコードされたコンテンツのデータ・ストリームを受領し（５４）、選択されたコンテンツをもつ読み取り専用メディアを作成するための諸選択およびメディア（７２）を提供し（９２）、前記メディア上に前記エンコードされたコンテンツを、該メディアが読み取り可能となるように記録する（９５）ことを含む。
【０００９】
保護されたコンテンツを複製する装置がメディア記録器を含んでおり、該メディア記録器は、受領されたエンコードされたコンテンツを該メディア記録器以外の装置によって読み取り可能なメディア上に記録するものであり、前記エンコードされたコンテンツが前記記録器によって受領されるのは、コンテンツ・スクランブリング・システム（CSS）のコピー・プロテクト暗号化（２４、３０）および先進アクセス・コンテンツ・システム（AACS:  Advanced  Access  Content  System）のコピー・プロテクト暗号化のうちの一方をされてであり、それにより暗号鍵へのアクセスの必要なしに、前記エンコードされたコンテンツのデータ・ストリームにコピー・プロテクト暗号化を提供する。
【００１０】
本発明の利点、性質およびさまざまな追加的特徴は、付属の図面との関連でこれから詳細に述べる例示的な実施形態を考慮することでより完全に明らかになるであろう。
【００１１】
図面が本発明の概念を例示するためのものであり、必ずしも本発明を例示する唯一の可能な構成ではないことは理解しておくべきである。
【発明を実施するための最良の形態】
【００１２】
標準規格のコンテンツ・スクランブリング・システム（CSS）のコピー・プロテクト暗号化を含む「記録可能な事前記録されたDVD」ディスクに記録された上位互換かつ下位互換のDVDビデオのコンテンツの、店舗内（小売およびインターネット）、工場内および家庭内での安全な作成を許容する方法およびシステムが提供される。本発明は、小売者または消費者がCSS鍵へのアクセスを有する必要性を迂回し、標準的な複製されたDVDビデオのディスクと同一なディスクの作成を許容する。CSS暗号化は、他のセキュリティおよびフォーマットと一緒に前もって実行される。
【００１３】
有利なことに、消費者に提供される結果ディスクは、フォーマット、論理構造、エンコード、読み取り特性および物理レイアウトにおいてDVDビデオ読み取り専用ディスクと同一である。完成されたディスクは以下ではダウンロード可能DVD（D-DVD）またはディスクと称されることがある。D-DVDは言及の簡便のために用いられ、限定的に解釈されるべきではない。プレーヤー／ドライブに対しても消費者に対しても、そのディスクは、同じDVDコンテンツが与えられ、さらなる記録ができず、標準的な複製されたディスクと厳密に同じに見え、したがってDVDビデオ・読み取り専用ディスクである。
【００１４】
本発明の諸側面は、ほとんどの事前処理を一度中央の安全かつコントロールされた環境で実行することによって、ディスクのフォーマット整形および記録の工程の複雑さを軽減する。これはハードウェアの複雑さを大幅に軽減し、店舗内、キオスク内または家庭内の記録器システムおよび電子製品に対するデータ処理要求を大幅に軽減する。さらに、本発明の諸実施形態は、DVDまたはCDの小規模／限定的プリンティングのために用いられてもよい。
【００１５】
ある実施形態では、ソフトウェアまたは専用ハードウェアで簡単に実行できる最終的な8-to-16変調（EFM+）変換が、DVDビットストリーム・データの転送および記憶を50%削減する。EFM+工程は8ビット・データ列を16ビット・データ列に変換する。この変換またはエンコードは、コンテンツのあるレベルのセキュリティを許容するために、最終的な複製の位置において完遂される。
【００１６】
独自フォーマットの記録可能DVDディスクは、独自のダウンロード可能DVD（すなわちD-DVD）ドライブおよび標準的なDVDレコーダーにおけるディスク使用権をコントロールしうる。認証プロセスは、生産されるタイトル量のコントロールおよびモニタリングを許容する。ディスク・シリアル番号はメディア使用をトラックでき、タイトルに結び付けられることができる。また個別化された一意的なビデオおよび／またはオーディオ透かし入れおよび埋め込まれたデジタル・シリアル番号は、無許諾のディスク・コピーおよび海賊行為を抑止し、追跡するために法的な場面で利用できる。
【００１７】
ディスクの高速生産のために複数の光ピックアップ・ヘッドを使う機能が改良される。D-DVDビットストリームは事前処理されてDVDバーナーに供給され、複数の書き込みヘッドに並列にシリアル・ストリーミングされることができるからである。D-DVDビットストリーム・フォーマットにおける事前処理されたデータなしでは、複数のデータ・ファイルを並列に完全に処理しなければならないことによる複雑さ、コンピュータ処理ユニット（CPU）の高い利用およびコストのため、本発明の諸側面は実現が著しく難しくなる。
【００１８】
本発明はビデオ記録システムとの関連で記載されるが、本発明はずっと広いものであり、ネットワークを通じた、キオスクからの、あるいはセキュリティ保護されたサーバーまたはワークステーションから直接の配送ができるいかなるデジタル・マルチメディア・システムをも含みうることは理解しておくものとする。さらに、本発明は、電話、セットトップボックス、コンピュータ、衛星リンクなどによって取られたデータを記録することを含め、いかなる記録方法またはメディアにも適用可能である。本発明は、デジタル・ビデオ記録（DVD）装置との関連で記載されるが、本発明の概念は、コンパクト・ディスク、高精細度デジタル多用途ディスクHD  DVD、高精細度光ディスクプロセス・ブルーレイ（Blu-ray）、それらのハイブリッドなどといった他の種類のメディアに拡張されうる。
【００１９】
さらに、図面に示される要素はハードウェア、ソフトウェアまたはそれらの組み合わせのさまざまな形で実装されうることも理解しておくべきである。好ましくは、これらの要素は、ハードウェアと一つまたは複数の適切にプログラムされた汎用装置上のソフトウェアとの組み合わせにおいて実装される。該汎用装置はプロセッサ、メモリおよび入出力インターフェースを含みうる。
【００２０】
ここで図面の個別的な詳細を参照する。図面において、同様の参照符号はいくつかの図を通じて同様または同一の要素を指す。まず図１を参照すると、例示的な実施形態に基づいて店舗内複製システム１０が例示的に示されている。コンテンツ所有者１２は、コンテンツ資産１４（たとえばオーディオおよびビデオ資産；これらは映画、曲、プログラムまたは他の任意の保護された素材を含みうる）を提供する。コンテンツ所有者１２は、最終的なダウンロード可能DVD（D-DVD）に含められるべきオーディオ、ビデオ、ナビゲーション・フローチャート、グラフィックおよび他の補助情報を用意し、この情報を圧縮およびオーサリング施設１６に転送する。
【００２１】
資産１４は、圧縮およびオーサリング（C&A）施設１６によって用いられる。C&A施設１６は圧縮およびオーサリング・ツール１８を用いて、コンテンツをエンコードし、圧縮し、フォーマットし、編集して、本発明の諸機能によって用いられることのできる形にする。オーサリングおよび圧縮施設１６は、オーディオおよびビデオの圧縮を実行する。メニュー、サブタイトルおよび他の補助情報がDVDのために構成され、最終的なナビゲーション・プログラミングが実行される。任意的なコピー防止またはリッピング防止プログラミング２０が、D-DVD処理センター２２への配送のために用意されたコンテンツおよび最終的なファイル・セットに加えられる。
【００２２】
C&A施設１６からのコンテンツは処理センター２２に与えられる。処理センター２２は、D-DVDビットストリーム・マスタリング・センターと称されてもよく、複製者（製造者）、オーサリング施設またはコンテンツ・プロバイダーを含みうる。部分的なDVDフォーマット整形事前処理が処理センター２２において提供される。処理センター２２は好ましくは中央位置に位置される（必ずしも店舗位置ではなく、ネットワーク（たとえばケーブル、電話、衛星など）上またはインターネット上のローカル・サーバーに）。処理センター２２は、既存の規格への準拠を保証し、コンテンツ所有者に満足のいくセキュリティのレベルを提供するために、多くのフォーマット整形および事前処理のステップを実行する。たとえば、スタジオ顧客は、デジタル・ミレニアム著作権法（DMCA）を通じて映画コンテンツの不正コピーの告発を実施できるよう、コンテンツ・スクランブリング・システム（CSS）を望み、よってCSSがCSS鍵マネジメント２４によって含められる。CSS暗号化２８はCSS暗号化規格に従い、暗号化された鍵へのアクセスを、該鍵を受領し、使うライセンスを受け、許諾された者のみに制限する。
【００２３】
コンテンツは、D-DVD処理センター２２において受領される。処理センター２２はDVD複製、圧縮およびオーサリング施設であってもよいし、あるいはコンテンツ・スクランブリング・システム（CSS）コピー・プロテクト暗号化を実行するライセンスを受けた他の施設であってもよい。処理センターでは以下のことが行われる。通常の複製処理と同様、CSS鍵マネジメント２４を使う処理センター２２はCSSディスク鍵を選ぶ。該CSSディスク鍵は、DVD  CCA２５に配送され、ブロック２８で単数または複数のマスター鍵２６を使って暗号化され、処理センター２２に返される。暗号化されたディスク鍵は、ブロック３０においてディスク・タイトル鍵を暗号化するために使われる。
【００２４】
圧縮およびオーサリング施設１６から配送されたDVDコンテンツは、コンテンツを法廷での保護のためにさらに保護するために、ブロック３２で、オーディオおよび／またはビデオ透かし入れのために処理されてもよい。透かし入れ事前処理３２は任意的に実行されるのでもよい。該処理は、完全な透かし入れ工程を含んでいてもよいし、あるいはD-DVDディスク・バーン段階における個別化された透かし入れのためのタグ付けを含んでいてもよい。この工程は、通常のDVD複製工程とは異なっており、新しい機能である。
【００２５】
ブロック３４では、生産される各ディスクの個別化されたシリアル番号のために、ディスク記録段階に先立って「パルス幅変調され」ることができるゾーンの作成のためのセクタ追加およびタグ付けが実行される。その最終産物は、ブロック１０６において、ブロック３４で実行されたタグ付けに従って「パルス幅シリアル番号付け」されることになる。シリアル番号とは、セクタについて、および／または記録されたメディア・オブジェクトについての機械可読な一意的な数である。このシリアル番号付けは、追跡目的、コピー・プロテクト機能、インターネット・アクティブ化／マーケティング／データ収集処理および他の用途のために使用されることができる。
【００２６】
次いでコンテンツまたはその他のデータはセクタに分解される。ブロック３４において、（50%までの）諸セクタはCSSスクランブルされ、DVDフォーマットされる。次いでブロック３６でDVD誤り検出符号（EDC）および誤り訂正符号（ECC）が生成される。
【００２７】
通常のDVDエンコード工程ならここで8ビットのデータ・バイトを16ビット語に変換するところである。このエンコード工程がこのステップで実行されるのは、データのファイル・サイズを減らすためではなく、追加的なセキュリティ機能のためである。というのも、これらの部分エンコード／フォーマットされたDVDファイルはDVDビデオのディスクを生成するために直接使用可能でないからである。次いでリードインおよびリードアウト情報が前記データにアペンドされるか、あるいはファイル・サイズをさらに減らすためにバーン段階でアペンドされる（リードイン／アウト・データの一部でも全部でもよい）。ブロック３８ではビットストリーム・フォーマット整形を使って、上記の結果ストリームをコンピュータ・システム上にすぐ保存されうるデジタル・データ構造に調製する（ファイルのフォーマット整形も含められてもよい）。これがD-DVDビットストリームを表す。DVDコンテンツのフォーマット整形工程は、通常のDVDビデオの複製工程において使われるのと似ているが、少なくとも次の側面は例外である：オーディオおよび／またはビデオ透かし入れ、「パルス幅シリアル番号付けされた」セクタ生成およびタグ付け、最終的な8-to-16変調工程の消去およびD-DVDビットストリーム・フォーマット整形工程。他の変調方式も考えられており、HD  DVDおよびブルーレイなどについて用いられてもよい。
【００２８】
次いでD-DVDビットストリームは保存のためにハードディスク・ライブラリ４０に転送される。次いでD-DVDビットストリーム・データ・ファイルは、中央に位置されるパッケージ処理／サーバー・センター（PPSC:  package  processing/server  center）４２への配送のために好適なメディアにアーカイブされる。ブロック４０からのD-DVDビットストリームは、ディスクおよびパッケージ・アートワークとともにパッケージされ、店舗内のD-DVDビットストリーム・サーバー６０上またはビットストリーム・ライブラリ４０内（あるいは家庭内パソコン・ハードディスク上；図２参照）への安全な伝送および保存のために暗号化されてもよい。
【００２９】
D-DVDビットストリームのアーカイブされたデータ・ファイルはPPSC４２に配送される。PPSC４２は以下の機能を実行する。ブロック４６で、ディスク・ラベル・アートワーク、付随素材アートワークおよび他のパッケージ情報を加えることによって、完全なD-DVDビットストリーム・パッケージが作成される。ブロック４８では、D-DVDビットストリーム・パッケージは好適な暗号化ソフトウェアを用いて暗号化され、たとえばビットストリーム・パッケージ・ライブラリ・サーバー・システム６０内に保存され、好適な媒体にアーカイブされる。PPSCシステム４２は、ブロック５０における認証および補助データ・マネジメントと、ブロック５２におけるトランザクション制御およびトランザクション記録マネジメントと、ブロック５４における店舗内ライブラリ「D-DVDビットストリーム・パッケージ」マネジメントおよびパッケージ転送を実行する。
【００３０】
店舗または小売環境１２０における店舗内複製（または工場内もしくはオンラインの小売者）については、安全な認証されたチャネル５６の高速接続が好ましくは、「D-DVDビットストリーム・パッケージ」ファイル・マネジメントのために利用される。「家庭内複製」（図２）については、D-DVDディスクにバーンされるべきファイルのダウンロードのために、インターネットまたは他のネットワーク５７が利用される。
【００３１】
PPSC４２はまた、小売環境中の店舗内D-DVD生産システムにおける大容量記憶のために利用されるサーバー６０に、小売者への配送に先立って、適切なビットストリーム・ライブラリ６２を事前ロードする。
【００３２】
ブロック７５では記録可能メディアの製造者７４によってブランクのメディア７２が生産される。メディア７２は、以下の特性をもつ独自仕様で製造されうる。ディスク７２は、ブランクでもよいし、あるいは業界標準のDVD記録可能メディアにおいて使用されるものとは異なる独自の蛇行プレグルーブ・フォーマット（wobbled  pre-groove  format）または他のフォーマットを使って生産されてもよい。この独自フォーマットは、D-DVD記録ドライブにおいてこのメディアをD-DVDメディアであると同定するために使用されることになる。D-DVD記録ドライブは、該独自のフォーマットをされたメディアにのみ記録できるよう構成されてもよく、このメディアは、パソコン（PC）やセットトップボックスのDVDバーナーで使われるような業界標準のDVDバーナー上では機能しなくてもよい。蛇行プレグルーブは、ブロック７６で、ディスク認証、ロット番号、店舗番号および他の情報を含めるために周波数変調または他の方法によってエンコードされうる。これらのディスク上に情報を埋め込むために他の方法が用いられてもよい。たとえばバースト・カッティング領域（BCA:  Burst  Cutting  Area）または他の手段を使うことによって、他の識別／シリアル番号付け情報がメディアに追加されることもできる。ブランクのメディア７２は読み取り専用ディスクが生産されることを許容することになる。
【００３３】
店舗内環境８０は以下のサブシステムを含み、以下の機能を実行する。トランザクション・マネージャ８２は「ビットストリーム・パッケージ・ライブラリ」サーバー６０を収容する。該「ビットストリーム・パッケージ・ライブラリ」サーバー６０は、ブロック８４での在庫マネジメントと、パッケージ・マネージャ８６を用いたはいってくるパッケージの受領と、認証および補助データ・マネジメント８８と、トランザクション制御およびトランザクション記録マネジメント９０とを実行し、PPSC４２との通信のために安全な認証されたチャネル５６をマネージする。コンテンツ検索およびトランザクション機能性または他のユーザー・インターフェース機能のために、キオスクまたは端末９２が使われる。
【００３４】
D-DVDディスク・バーナー／プリンタ・エンジン（DDBP:  D-DVD  disc  burner/printer  engine）９４はトランザクション・マネージャ８２とのインターフェースをもつ。DDBP９４は以下のサブシステムを含み、以下の機能を実行する。サブシステムは、パソコン１００または他のコンピュータ・ベースの制御システム、D-DVDディスク読み取り／記録ドライブ９５（これは独自のものでもよい）、ディスク・プリント・エンジン９６、ハードウェア・サブシステムおよびトランザクション・マネージャ８２への通信チャネルを含みうる。ディスク注文はキオスク９２からトランザクション制御９３を使ってDDBP９４に転送され、ディスク・メディア７２はディスク・ドライブ１１０に搬送される。メディア７２は前もって購入されてもよいし、あるいはコンテンツが注文される時点で提供されてもよい。次いでこのメディア７２が読まれ、D-DVDメディアであると確認される。次いで、認証およびシリアル番号データがディスクから読まれ、PPSC４２からの最終的な認証のために、認証／補助データ・マネジメント・サブシステム９７を通じてトランザクション・マネージャ８２に転送される。
【００３５】
認証されると、次いで選択されたコンテンツ（暗号化されたD-DVDビットストリーム・パッケージ）が、パソコン１００内のソフトウェアにおける、あるいは専用ハードウェアによるブロック９８での復号のためにDDBP９４に転送される。出力は「D-DVDビットストリーム、透かし入れタグ付けデータ、シリアル番号付けタグ付けデータ、ラベル・アートワークおよび付随素材のアートワークである。
【００３６】
パソコン１００および／または専用ハードウェア／ソフトウェアは、ブロック１０２で透かしタグ付けデータを読み、CSS暗号化されていない前記50%のセクタのうち選択されたセクタに透かし入れする。専用ハードウェア／ソフトウェアはまた、ブロック１０６で、修正のために割り当てられているセクタを一意的に同定するために使われるシリアル番号付けタグ付けデータを読む。同定されたセクタは、データ遷移のタイミング、よってディスク上のディスク・ピット・エッジの位置をずらすことによって修正されることもできる。これはD-DVDディスク上に記録されている種々のデータ・パターンにつながる。代替として、セクタ・データ全体が、所望のデータ・パターンを含むもので置き換えられることができる。代替法の実行は、ブロック１０４における8-to16変調の前でも後でもよい。このデータは、一意的な機械可読シリアル番号を用いて各ディスクを一意的に同定する（たとえばパルス幅変調）ために使うことができ、あるいは追加的な暗号機能のために使われてもよい。
【００３７】
次いでドライブ１１０が完全に処理された「D-DVDビットストリーム」を受領し、ストリーミング・モードで、記録可能ゾーンのまさに先頭におけるリードインの先頭から始まってディスク上の記録可能ゾーンのまさに最後におけるリードアウトの終わりで終わるデータを記録する。すると、その記録されたディスクは、普通に複製されたDVDビデオ読み取り専用ディスクと同一の特性をもつ事前記録されたディスクである。このディスクは、さらに記録したり変更したりすることはできない。入力されたコンテンツが等価なら、D-DVDディスクとDVDビデオ読み取り専用ディスクは同一の仕方で読み取りおよび実行される。このディスクはデータ・コンテンツ、論理構造、物理構造、電気的特性およびCSS暗号化において、DVDビデオ・読み取り専用ディスクと同一なので、DVDプレーヤーおよびレコーダー上で再生可能である確率が高くなる。
【００３８】
記録完了後、ディスクは検証されるか部分的検証され、ブロック９５および９７を使って適正なコンテンツおよび品質特性が保証される。ディスクは次いで装飾のためにディスク・プリント・エンジン９６に転送される。次いで付随する紙素材がプリントされ、最終産物が、消費者への配送のためにパッケージにまとめられる。
【００３９】
有利には、本発明の諸側面によれば、透かし入れされ、CSSで暗号化された、データ・コンテンツの事前処理されたストリームはキオスクまたは店舗内施設に提供される。データのストリームは事前処理されているので、D-DVDに記録される時点での動作はより少なくなる。この事前処理されたデータ・ストリームは、その事前処理された状態においてCSS暗号化および用いられる他の任意のセキュリティ施策（たとえば透かしなど）によって保護される。さらに、データ・ストリームはまだ完全にその最終的な形に変調されてはいないので、該ストリームは最終的な複製に先立つ段階では使用から保護される。
【００４０】
メディア７２への記録の時点で、ストリームがメディア・ディスク７２に書き込まれる直前に、ストリームに対して変調プロセス（たとえば8-to-16ビット変調またはたとえば1-to-7PP［Parity  Preserved（パリティ保存）］、8-to-12および8-to14変調のような他の変調方式）が実行される。次いでそのデータ・ストリームはメディアに直接書き込まれる。
【００４１】
図２を参照すると、家庭内DVD複製のためのシステム／方法２００が例示的に示されている。システム２００は概念上、図１に記載される店舗内でのDVD複製実施形態と同様であり、同様の復号、透かし入れ（任意的）、シリアル番号付け（任意的）、8-to-16変換およびD-DVDビットストリーム・データを記録するための独自ドライブを含むが、コンテンツがインターネット、電話、ケーブルまたは衛星のネットワークを通じてセットトップボックスまたはコンピュータに直接配送されるという点で異なっている。このドライブは、スタンドアローンのインターネット接続されたケーブルまたは衛星のセットトップボックスに組み込まれることができる。ブロック９６におけるディスクのプリントは家庭内での実施形態では任意的である。
【００４２】
家庭内ディスク・バーナー９４は、ネットワーク５７から部分エンコードされたデータ・ストリームを受領し、コンピュータまたはセットトップボックス１００がエンコード、たとえば8-to16変調などを完遂する。その後、完全にエンコードされたデータ・ストリームがメディア・オブジェクト７２に書き込まれる。
【００４３】
図１および図２によれば、安全な復号９８および8-to-16変調（EFM+）９４の最終的なディスク処理ステップは、バーナーまたはメディア記録装置によって受領された部分エンコードされたビットストリームに対して、店舗内または家庭内の記録可能DVDドライブにおいて実行される。任意的に、店舗固有またはディスク固有のオーディオおよび／またはビデオ透かし（１０２）および／またはディスク・シリアル番号（１０４）がビットストリームに挿入されることができる。ビットストリームは、ライブラリ４０（または６２）からシリアル式にストリーミングされ、記録可能なDVDメディアに記録される。店舗内／キオスク内／工場内／家庭内のドライブ上に記録されている「D-DVDビットストリーム」は、標準的な複製工程で生産される業界標準の事前記録されたDVDビデオのディスクに記録されているデジタル・データ・ビットストリームと同一である／あることができる。ディスクおよび付随素材は、標準的な複製工程で生産されたものと同様にプリントおよびパッケージングされることができる。データ・ストリームはDVD製造のためのガラス・マスターを作成するのと同様でありうるので、本開示の諸側面に基づく工程は、工場環境における小規模または限られた配布メディアのためのディスクの書き込みを許容しうる。
【００４４】
有利なことに、最終的なディスクは、標準的な複製ディスクと同一の電気的、論理的、CSSコピー・プロテクトおよび物理的な特性を有しており、よってレガシーのおよび新しいDVDビデオ・プレーヤーおよびパソコンのDVDドライブ／デコーダ・ソフトウェア上で再生可能である。本工程は、標準的なDVD製品の店舗内複製または家庭内複製と見ることができる。代替的に、独特なディスク・タイプ識別子、認証データ、店舗識別情報およびロット番号識別情報を含むようカスタム・フォーマットされた独自の記録可能メディアが使われてもよい。各ディスクに機械可読フォーマットで個々に番号付けするために、ディスクは、たとえばバースト・カッティング領域（BCA）または「パルス幅シリアル番号付け」または他の手段を通じて個々にシリアル番号付けされることができる。
【００４５】
レコーダー・システムは、D-DVDレコーダー内で記録されるべきメディアを認証する諸方法を含み、店舗内複製についてはD-DVDメディアのみが使える。さらに、D-DVDメディアには、標準的なDVDレコーダーでは記録できない。システムはキオスク・ユーザー・インターフェースまたはパソコン・ユーザー・インターフェースおよびトランザクション記録管理および報告のための諸方法を含みうる。
【００４６】
図３を参照すると、本発明の側面および利点のいくつかを示すために、標準的なDVD製造工程と本発明の工程との比較が例示的に示されている。標準的な工程はブロック１６および１１５を含む。ブロック１６では、標準的なC&A施設が、DVDのためのコンテンツの圧縮およびオーサリングを実行することを含む。ブロック１１５は、CSS鍵を扱いコンテンツをCSS暗号化するライセンスを受けた被ライセンス複製施設内で実行される工程ステップを示している。ディスク・フォーマット器１０２はブロック１０４におけるCSS鍵暗号化およびコンテンツ・スクランブルならびにブロック１０６におけるDVDディスク・フォーマット整形を提供する。ブロック１０４はCSS鍵暗号化情報をブロック２５から受領する。完全にCSS暗号化され、DVDフォーマット整形され、8-to-16ビット変調されたデータ・ストリームが生成される。これはガラス・マスタリング・ブロック１０８でガラス・マスター・ディスクを生産するために用いられる用意ができている
ガラス・マスタリングは、ブロック１１０においてデータをガラス・マスター・レコーダーにストリーミングして、DVDのガラス・マスター・コピーに適用されるピット・パターンを作成することを含む。ディスク複製１１２は、DVDの大量生産のために射出成形１１４によってDVDを生産するためにガラス・マスター・パターンをモールドに複製することによって実行される。
【００４７】
本開示の諸実施形態によれば、ガラス・マスタリング１０８の代わりに、ビットストリーム・マスタリング１２２が実行される。ビットストリーム・マスタリング１２２は、ブロック１２４においてデータをハードディスクまたは他の読み取り／書き込みメモリにストリーミングすることを含む。データ・ストリームは部分的にエンコードされているが、CSS暗号化、DVDフォーマット整形は含むよう前処理されているが、まだ8-to16ビット変調はされていない。ブロック１０２および１２２は、CSS鍵を扱いコンテンツをCSS暗号化するようCCAライセンスされた複製施設内に留まることを注意しておく。
【００４８】
ディスク複製１２８は、ブロック１２６でデータをD-DVDメディアにストリーミングすることを含む。この複製工程の間または直前に、変調または完全なエンコードが実行されて、DVD上に記録されるべきデータ・ストリームが完成される。DVDメディア１３２はブランクでもよいし、D-DVD製造者１３０によって特別に製作またはフォーマットされたディスクでもよい。ブランク・ディスクは、標準的な基準に従って再生のみのための読み取り専用ディスクとしてフォーマットされてもよい。たとえば、DVDの読み取り専用ビットが記録されるコンテンツに含められる。読み取り専用ディスクは再生は許容するが記録は許容せず、復号を許容するのもCSS有効化／許諾された装置において使われる場合のみである。
【００４９】
図４を参照すると、本発明の完全に事前処理される実施形態に基づく、メディア・オブジェクト（たとえばDVD）を複製するための例示的なシステム／方法のブロック図／流れ図である。認証されたチャネル５６を通じたDVDビットストリーム・データ転送速度が制限を与える関心事ではない場合には、B2DVDビットストリーム・マスタリング段階２２のビットストリーム・フォーマット整形３８プロセスにおいて完全な8-to-16変調（EFM＋）変換またはエンコードが実行されることができる。これは、バーナーまたはメディア記録装置９４における一切の8-to-16変調変換の必要をなくす。パルス幅シリアル番号付け１０６出力がディスク読み取り、認証および複製動作９５に先立って書き込み信号調整４０４にかけられる。ディスク・バーナー９４に対する結果的な処理要求は、図１および図２の実施形態より低い。というのも、トランザクション・マネージャ段階８２で受領される信号において完全な8-to-16変調のエンコードが完了されており、ディスク・バーナー９４による部分的な変調が要求されないからである。
【００５０】
DVD複製のためのシステムおよび方法について好ましい実施形態（これは例示的であることが意図されており、限定的であることは意図されていない）を記載してきたが、上記の教示に照らして当業者は修正および変更をすることができることを注意しておく。したがって、開示される本発明の個別的な諸実施形態には、付属の請求項によって述べられる本発明の範囲および精神の範囲内にはいる変更がなされうることは理解しておくものとする。特許法令によって要求される詳細および具体性をもって本発明について記載してきたが、特許状によって保護されることが請求され、望まれるものは付属の請求項において述べられるものである。
【図面の簡単な説明】
【００５１】
【図１】本発明のある例示的な実施形態に基づく、小売施設からメディア・オブジェクト（たとえばDVD）を複製するための例示的なシステム／方法のブロック図／流れ図である。
【図２】本発明のもう一つの例示的な実施形態に基づく、家庭または消費者位置からメディア・オブジェクト（たとえばDVD）を複製するための例示的なシステム／方法のブロック図／流れ図である。
【図３】標準的なDVD製造工程と、本発明のもう一つの例示的な実施形態に基づく、メディア・オブジェクト（たとえばDVD）を複製するためのシステム／方法との間の例示的な比較を示すブロック図／流れ図である。
【図４】本発明の完全に前処理される実施形態に基づく、メディア・オブジェクト（たとえばDVD）を複製するための例示的なシステム／方法のブロック図／流れ図である。
【図１】
2009512114.tif 000003
【図２】
2009512114.tif 000004
【図３】
2009512114.tif 000005
【図４】
2009512114.tif 000006
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
記録器を有する装置であって：
前記記録器は、少なくとも一つの埋め込まれた鍵を含む完全に事前処理され、事前暗号化されたコンテンツを供給され、制御に反応して前記記録器は前記コンテンツをメディアに記録し、該記録は、記録後に、前記メディアがコピー・プロテクトを含め標準的な複製ディスクに対応する特性を有するようにするものである、装置。
【請求項２】
前記コントローラは家庭内コンピュータ装置およびセットトップボックスのうちの一方を含む、請求項１５記載の装置。
【請求項３】
前記シリアル番号付けが、前記メディア上へのコンテンツの記録の際の修正のために選択された諸セクタを同定するよう構成されている、請求項１６記載の装置。
【請求項４】
CSS暗号化で前記コンテンツを事前暗号化するコンテンツ・スクランブリング・システム（CSS）のコピー・プロテクト暗号化装置をさらに有する、請求項１記載の装置。
【請求項５】
前記記録器がネットワークに接続されている、請求項１記載の装置。
【請求項６】
前記記録器が複数の書き込みヘッドを有しており、前記完全に事前処理され、事前暗号化されたコンテンツが該複数の書き込みヘッドに並列に、シリアル・ストリーミングされる、請求項１記載の装置。
【請求項７】
保護されたコンテンツを複製する方法であって：
埋め込まれた鍵を含む完全に事前処理され、事前暗号化されたコンテンツのデータ・ストリームを受領する段階と；
コンテンツのメディアへの記録を、該メディアがコピー・プロテクトを含め標準的な複製ディスクに対応する特性を有するように行う段階とを有する、
方法。  
【請求項８】
前記完全に事前処理され、事前暗号化されたコンテンツがコンテンツ・スクランブリング・システム（CSS）のコピー・プロテクト暗号化を用いて事前暗号化されている、請求項７記載の方法。
【請求項９】
前記記録する段階が、前記コンテンツのデータ・ストリームを、メディア・バーナーの複数の書き込みヘッドに並列に、シリアル・ストリーミングする段階を含む、請求項７記載の方法。
【請求項１０】
記録のためにブランク・メディアを提供する段階をさらに含み、該ブランク・メディアがDVDメディアを含む、請求項７記載の方法。
【請求項１１】
前記記録する段階が、前記メディア上へのコンテンツの記録の際の修正のために前記メディア上で選択された諸セクタを同定するためにシリアル番号付けを含む、請求項７記載の方法。
【請求項１２】
選択された諸セクタが、データ遷移をずらすことによってデータ内容を選択的に変えることによって修正されて、前記メディア上に種々のデータ・パターンが与えられる、請求項１１記載の方法。
【請求項１３】
前記選択された諸セクタが、前記メディアの記録の際に、所望のデータ・パターンで置き換えられる、請求項１１記載の方法。
【請求項１４】
保護されたコンテンツを複製する装置であって：
完全に事前処理され、事前暗号化されたコンテンツを供給されるメディア記録器を含んでおり、前記コンテンツは、前記メディア記録器以外の装置によって読み取り可能なメディア上に該コンテンツを記録するための埋め込まれた鍵を含んでおり、前記コンテンツが前記記録器によって受領されるのは、コンテンツ・スクランブリング・システム（CSS）のコピー・プロテクト暗号化および先進アクセス・コンテンツ・システム（AACS）のコピー・プロテクトのうちの一方をされてであり、それにより前記記録器への別個の鍵配送の必要なしに、前記コンテンツのデータ・ストリームにコピー・プロテクト暗号化を提供する、装置。
【請求項１５】
請求項１記載の装置であって：
前記記録器による前記コンテンツの記録を可能にする制御を提供するコントローラをさらに有する装置。
【請求項１６】
前記コンテンツが記録される各メディアの識別のためのシリアル番号付けをさらに有する、請求項１記載の装置。
【請求項１７】
前記選択された諸セクタが、前記コンテンツを記録するときにデータ遷移をずらすことによってデータ内容を選択的に変えることによって修正され、前記メディア上に種々のデータ・パターンが与えられる、請求項３記載の装置。
【請求項１８】
前記選択された諸セクタが、前記コンテンツの記録の際に、所望のデータ・パターンで置き換えられる、請求項１７記載の装置。
【請求項１９】
前記コントローラが、家庭システム、小売施設、工場またはウェブ・ベースの配布システムのうちの少なくとも一つに関連付けられている、請求項１６記載の装置。
【国際調査報告】
2009512114.tif 000007
2009512114.tif 000008
2009512114.tif 000009